(57)【特許請求の範囲】
【請求項１】
充電機構の端子固定部に固定するための固定端と、外部と結線するための結線部と、搭載された被充電機器に充電等を行うための接点部と、固定端から接点部に連なると共に接点部が押圧された際に接点部に反発力を与える弾性部と、を備えた電子機器用端子を、
固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止めることを特徴とする電子機器用端子の固定方法。
【請求項２】
充電機構の支点部材を端子固定部とは別の部材で構成し、電子機器用端子の固定端を充電機構の端子固定部に固定した後に支点部材で電子機器用端子の弾性部を受け止めることを特徴とする請求項１記載の電子機器用端子の固定方法。
【請求項３】
充電機構の端子固定部に固定するための固定端と、搭載された被充電機器に充電等を行うための接点部と、固定端から接点部に連なると共に接点部が押圧された際に接点部に反発力を与える弾性部と、を備えた電子機器用充電装置であって、
固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止めることを特徴とする電子機器用充電装置。
【発明の詳細な説明】
【０００１】
【発明の属する技術分野】
本発明は、電子機器の充電端子やデータ端子等に用いられる電子機器用端子の固定方法に関するものである。
【０００２】
【従来の技術】
図４は従来の電子機器用端子の固定方法を示す模式図であり、図５は従来の電子機器用端子の固定方法を用いた電子機器用端子の弾性部の撓み及び弾性部の根元に加わる荷重を示す模式図である。
【０００３】
図４に示すように、電子機器用端子１は大別すると、固定端２と移動端３と弾性部４とで構成されている。固定端２には突起部２ａが設けてあるが、この突起部２ａはコードレス電話装置や充電器等の電子機器の充電機構の端子固定部５に嵌め込んで電子機器用端子１の固定端２を固定するためのものである。固定端２から延びた結線部６は外部の配線を結線するためのものであり、結線部６を電源と結べば電子機器用端子１は充電端子として機能するし、結線部６をデータ供給源と結べば電子機器用端子１はデータ端子として機能する。移動端３には充電機構に搭載された被充電機器７側の各種端子と接触するための接点部８が設けてあり、固定端２から接点部８に連なる弾性部４が撓む際の反発力で接点部８を被充電機器７に押し付けて接点部８の接触状態を維持する。被充電機器７が取り去られて接点部８に対する押圧力が解除されると弾性部４の撓みが元に戻り、移動端３の接点部８も押圧前の位置まで復帰する。
【０００４】
【発明が解決しようとする課題】
しかしながら、以上のような従来の電子機器用端子の固定方法では、図４に示すように、電子機器用端子１の固定端２の突起部２ａを電子機器の充電機構の端子固定部５に嵌め込むだけである。つまり、電子機器用端子１は固定端２を充電機構の端子固定部５に固定されるだけであり、長さの長い弾性部４はその殆どが移動端３と同様の自由端である。図５に示すように、充電機構に被充電機器７が搭載されて電子機器用端子１の接点部８に荷重が掛かった場合には、弾性部４の根元に属する部分である結線部６の近辺まで撓むことになる。
【０００５】
さて、電子機器用端子１の結線部６の近辺と固定端２との境目２ｂは直角に折れ曲がっているので、この境目２ｂに大きな力が繰り返し加わると、充電機構の端子固定部５に嵌め込まれた電子機器用端子１の固定端２には抜け落ちる方向の力が加わり、固定端２がガタつくようになる。固定端２がガタつくと、弾性部４の撓みが消滅するのに伴い接点部８が被充電機器７に及ぼす反発力も消滅し、接点部８と被充電機器７側の端子との間に隙間が生じて接触不良を起こし易くなり、充電やデータの伝送が行われなくなるという課題を有していた。
【０００６】
本発明は以上の課題を解決し、充電機構に搭載された被充電機器に対する電子機器用端子の接点部の反発力を良好に維持可能な電子機器用端子の固定方法を提供することを目的とする。
【０００７】
【課題を解決するための手段】
この課題を解決するために本発明は、充電機構の端子固定部に固定するための固定端と、外部と結線するための結線部と、搭載された被充電機器に充電等を行うための接点部と、固定端から接点部に連なると共に接点部が押圧された際に接点部に反発力を与える弾性部と、を備えた電子機器用端子を、固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止める構成としたものである。
【０００８】
この発明によれば、充電機構に搭載された被充電機器に対する電子機器用端子の接点部の反発力を良好に維持可能な電子機器用端子の固定方法を提供することができる。
【０００９】
【発明の実施の形態】
本発明の請求項１に記載の発明は、充電機構の端子固定部に固定するための固定端と、外部と結線するための結線部と、搭載された被充電機器に充電等を行うための接点部と、固定端から接点部に連なると共に接点部が押圧された際に接点部に反発力を与える弾性部と、を備えた電子機器用端子を、固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止める構成としたものであり、充電機構に搭載された被充電機器に対する電子機器用端子の接点部の反発力を良好に維持可能なので、被充電機器側の端子と充電機構側の電子機器用端子の接点部の接触状態を安定的に確保できるという作用を有する。
【００１１】
本発明の請求項２に記載の発明は、請求項１記載の発明において、充電機構の支点部材を端子固定部とは別の部材で構成し、電子機器用端子の固定端を充電機構の端子固定部に固定した後に支点部材で電子機器用端子の弾性部を受け止める構成としたものであり、
充電機構に搭載された被充電機器に対する電子機器用端子の接点部の反発力を良好に維持可能なので、被充電機器側の端子と充電機構側の電子機器用端子の接点部の接触状態を安定的に確保できるという作用を有するし、支点部材を捨て基板等の原価ゼロの材料で形成することも可能であるので、充電機構の製造コストの軽減に繋がるという作用も有する。
本発明の請求項３に記載の発明は、充電機構の端子固定部に固定するための固定端と、搭載された被充電機器に充電等を行うための接点部と、固定端から接点部に連なると共に接点部が押圧された際に接点部に反発力を与える弾性部と、を備えた電子機器用充電装置であって、固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止める構成としたものであり、充電機構に搭載された被充電機器に対する電子機器用端子の接点部の反発力を良好に維持可能なので、被充電機器側の端子と充電機構側の電子機器用端子の接点部の接触状態を安定的に確保できるという作用を有する。
【００１２】
以下、本発明の実施の形態について説明する。
【００１３】
（実施の形態１）
本発明の一実施の形態の大要は、充電機構の端子固定部に装着した電子機器用端子の固定端がガタつかないようにするために、電子機器用端子の弾性部を固定端から離れた位置において支点部材で受け止め、充電機構に搭載された被充電機器から接点部が受ける押圧力を、弾性部の支点部材で受け止められた部分までが撓むことで受け止め、接点部が受ける押圧力を固定端の近辺まで及ぼさないように工夫したことである。
【００１４】
以下、本発明の一実施の形態の詳細を図１〜図３を参照しながら説明する。
【００１５】
図１は本発明の一実施の形態による電子機器用端子の固定方法を示す模式図であり、図２は本発明の一実施の形態による電子機器用端子の固定方法を用いた電子機器用端子の弾性部の撓み及び弾性部の根元に加わる荷重を示す模式図である。図３は本発明の一実施の形態による電子機器用端子の固定方法に用いる支点部材に設けた溝部を示す模式図である。
【００１６】
図１に示すように、電子機器用端子１は大別すると、固定端２と移動端３と弾性部４とで構成されている。固定端２には突起部２ａが設けてあるが、この突起部２ａはコードレス電話装置や充電器等の電子機器の充電機構の端子固定部５の溝に嵌め込んで電子機器用端子１の固定端２を固定するためのものである。固定端２から延びた結線部６は外部の配線を結線するためのものであり、結線部６を電源と結べば電子機器用端子１は充電端子として機能するし、結線部６をデータ供給源と結べば電子機器用端子１はデータ端子として機能する。移動端３には充電機構に搭載された被充電機器７の各種端子に接触するための接点部８が設けてあり、固定端２から接点部８に連なる弾性部４が撓む際の反発力で接点部８を被充電機器７に押し付けて接点部８の接触状態を維持する。被充電機器７が取り去られて接点部８に対する押圧力が解除されると弾性部４の撓みが元に戻り、移動端３の接点部８も押圧前の位置まで復帰する。
【００１７】
本発明における電子機器用端子の固定方法で用いた電子機器用端子１自体は従来の技術の説明で用いたものと同一であるが、本発明では電子機器用端子１を固定するために、固定端２の突起部２ａを電子機器の充電機構の端子固定部５に嵌め込むと共に、充電機構に新たに支点部材９を用いて弾性部４を固定端２から離れた位置において受け止めるようにしている。
【００１８】
支点部材９を用いて弾性部４を固定端２から離れた位置において受け止めると、図２に示すように、弾性部４の自由端は支点部材９が成す支点から先の部分に限定される。そのため、弾性部４の支点部材９が成す支点から固定端２の先端までの部分は固定された状態にあるので、弾性部４の根元に属する部分である結線部６の近辺や、結線部６の近辺から直角に折れ曲がった固定端２との境目２ｂには接点部８が受ける荷重は伝わらない。境目２ｂに接点部８が受ける荷重が伝わらない場合には、充電機構の端子固定部５に嵌め込まれた電子機器用端子１の固定端２にも抜け落ちる方向の力は加わらないので、固定端２にガタつきが生じることはない。そのため、電子機器用端子１は固定端２で充電機構の端子固定部５にガッチリと根を生やした状態であるので、接点部８に荷重が加わった場合には弾性部４の支点部材９が成す支点から先の部分の自由端は十分に撓むことができる。弾性部４が十分撓むということは、被充電機器７に対する接点部８の反発力を確保できるということであり、接点部８と被充電機器７側の端子との接触不良を防止して充電やデータの伝送が確実に行えるということである。
【００１９】
弾性部４をより確実に支点部材９で受け止めるには、図３に示すように、支点部材９に溝部９ａを設けて弾性部４の横滑りを防止すると良い。
【００２０】
なお、充電機構の支点部材９を端子固定部５とは別の部材で構成し、電子機器用端子１の固定端２を充電機構の端子固定部５に固定した後に支点部材９で弾性部４を受け止めるようにすれば、支点部材９を捨て基板等の原価ゼロの材料で形成することも可能であるので、充電機構の製造コストを軽減することができる。
【００２１】
以上に説明したように、本実施の形態では電子機器用端子の固定端を充電機構の端子固定部に固定すると共に、弾性部を固定端から離れた位置において支点部材で受け止め、支点部材が成す支点から先の部分を弾性部の自由端とした。弾性部の根元は支点部材が成す支点であり、弾性部の根元は支点部材により確実に受け止められるので弾性部は接点部が受ける荷重により十分に撓むことができ、接点部は弾性部の反発力により充電機器に搭載された被充電機器と確実に接触することができる。
【００２２】
【発明の効果】
以上のように本発明によれば、充電機構の端子固定部に固定するための固定端と、外部と結線するための結線部と、搭載された被充電機器に充電等を行うための接点部と、固定端から接点部に連なると共に接点部が押圧された際に接点部に反発力を与える弾性部と、を備えた電子機器用端子を、固定端を充電機構の端子固定部に固定すると共に弾性部を固定端から離れた位置において支点部材で受け止め、接点部が押圧された際の弾性部の撓みが固定端に及ぶのを阻止することで端子固定部に固定した固定端のガタつきを防ぎ、搭載された被充電機器に対する接点部の反発力を安定させ、弾性部の横ずれを防止するための溝部を設けた支点部材で弾性部を受け止める構成としたことにより、充電機構に搭載された被充電機器に対する電子機器用端子の接点部の反発力を良好に維持可能なので、被充電機器側の端子と充電機構側の電子機器用端子の接点部の接触状態を安定的に確保できるという効果がある。
【図面の簡単な説明】
【図１】本発明の一実施の形態による電子機器用端子の固定方法を示す模式図
【図２】本発明の一実施の形態による電子機器用端子の固定方法を用いた電子機器用端子の弾性部の撓み及び弾性部の根元に加わる荷重を示す模式図
【図３】本発明の一実施の形態による電子機器用端子の固定方法に用いる支点部材に設けた溝部を示す模式図
【図４】従来の電子機器用端子の固定方法を示す模式図
【図５】従来の電子機器用端子の固定方法を用いた電子機器用端子の弾性部の撓み及び弾性部の根元に加わる荷重を示す模式図
【符号の説明】
１  電子機器用端子
２  固定端
２ａ  突起部
３  移動端
４  弾性部
５  端子固定部
６  結線部
７  被充電機器
８  接点部
９  支点部材
９ｂ  溝部
【図１】
0003975722.tif 000002
【図２】
0003975722.tif 000003
【図３】
0003975722.tif 000004
【図４】
0003975722.tif 000005
【図５】
0003975722.tif 000006